(57)【要約】      （修正有）【課題】送信レート制限を特定するシグナリング・メッセージを取り扱うための方法を提供する。【解決手段】第１の状態で動作するために、ネットワークからシグナリング・メッセージを受信する。シグナリング・メッセージは、アクティベーション時間、送信レート制限、及び制御持続期間を含む。第２の状態で動作するために、状態遷移トリガを受信する。状態遷移トリガを受信すると、送信レート制限に関するユーザ機器の挙動を判定する。【選択図】図５
2015015738.tif 000002
【特許請求の範囲】
【請求項１】
ユーザ機器によって実施される、送信レート制限に関するシグナリング・メッセージを取り扱うための方法であって、前記方法は、
第１の状態で動作することと、
アクティベーション時間及び前記送信レート制限を含む前記シグナリング・メッセージをネットワークから受信することと、
第２の状態で動作するために、状態遷移トリガを受信することと、
前記状態遷移トリガを受信すると、前記送信レート制限に関する前記ユーザ機器の挙動を判定することと
を備える方法。
【請求項２】
前記シグナリング・メッセージが、伝送フォーマット組合せ制御（ＴＦＣＣ）メッセージである請求項１に記載の方法。
【請求項３】
前記状態遷移トリガを受信すると、前記送信レート制限に関するユーザ機器の挙動を判定することは、前記アクティベーション時間に達しているかを判定することを備える請求項１に記載の方法。
【請求項４】
前記アクティベーション時間に達しておらず、前記状態遷移トリガを受信すると、送信レート制限に関するユーザ機器の挙動を判定することは、前記シグナリング・メッセージが制御持続期間を含んでいるかを判定することを更に備える請求項３に記載の方法。
【請求項５】
前記シグナリング・メッセージが、前記制御持続期間を含み、前記方法は、前記送信レート制限を直ちに適用することを更に備える請求項４に記載の方法。
【請求項６】
前記シグナリング・メッセージが、前記制御持続期間を含まず、前記方法は、前記制御持続期間が終了したかのように振舞うことと、前記送信レート制限を解除することとを更に備える請求項４に記載の方法。
【請求項７】
前記ユーザ機器が、前記シグナリング・メッセージを受信するより前に有していた送信レートに戻ることを更に備える請求項６に記載の方法。
【請求項８】
前記アクティベーション時間に達しており、前記状態遷移トリガを受信すると、前記送信レート制限に関するユーザ機器の挙動を判定することは、前記シグナリング・メッセージに含まれている制御持続期間が終了しているかを判定することを含む請求項３に記載の方法。
【請求項９】
前記制御持続期間が終了しておらず、前記方法は、前記制御持続期間が終了しているかのように振る舞うことと、前記送信レート制限を解除することとを更に備える請求項８に記載の方法。
【請求項１０】
前記ユーザ機器が、前記シグナリング・メッセージを受信するより前に有していた送信レートに戻ることを更に備える請求項９に記載の方法。
【請求項１１】
前記制御持続期間が終了しており、前記方法は、前記ユーザ機器が、前記シグナリング・メッセージを受信するより前に有していた送信レートに戻ることを更に備える請求項８に記載の方法。
【請求項１２】
前記第１の状態が、ＣＥＬＬ＿ＤＣＨ状態である請求項１に記載の方法。
【請求項１３】
前記送信レート制限が、アップリンク・データ・レートに適用される請求項１に記載の方法。
【請求項１４】
送信レート制限に関するシグナリング・メッセージを取り扱うように構成されたユーザ機器であって、前記ユーザ機器は、
プロセッサと、
前記プロセッサに結合された回路を備え、
前記プロセッサは、
第１の状態で動作し、
アクティベーション時間及び前記送信レート制限を含む前記シグナリング・メッセージをネットワークから受信し、
第２の状態で動作するために、状態遷移トリガを受信し、
前記状態遷移トリガを受信すると、前記送信レート制限に関する前記ユーザ機器の挙動を判定するように構成されたプロセッサであるユーザ機器。
【請求項１５】
前記シグナリング・メッセージが、伝送フォーマット組合せ制御（ＴＦＣＣ）メッセージである請求項１４に記載のユーザ機器。
【請求項１６】
前記状態遷移トリガを受信すると、前記送信レート制限に関するユーザ機器の挙動を判定することは、前記アクティベーション時間に達しているかを判定することを備える請求項１４に記載のユーザ機器。
【請求項１７】
前記アクティベーション時間に達しておらず、前記状態遷移トリガを受信すると、前記送信レート制限に関するユーザ機器の挙動を判定することは、前記シグナリング・メッセージが制御持続期間を含んでいるかを判定することを更に備える請求項１６に記載のユーザ機器。
【請求項１８】
前記シグナリング・メッセージが、前記制御持続期間を含み、前記プロセッサに結合された回路は、前記送信レート制限を直ちに適用するように更に構成されている請求項１７に記載のユーザ機器。
【請求項１９】
前記シグナリング・メッセージが、前記制御持続期間を含まず、前記プロセッサに結合された回路は、前記制御持続期間が終了しているかのように振る舞い、前記送信レート制限を解除するように更に構成されている請求項１７に記載のユーザ機器。
【請求項２０】
前記プロセッサに結合された回路が、前記ユーザ機器が前記シグナリング・メッセージを受信するより前に有していた送信レートに戻るように更に構成されている請求項１９に記載のユーザ機器。
【請求項２１】
前記アクティベーション時間に達しており、前記状態遷移トリガを受信すると、前記送信レート制限に関するユーザ機器の挙動を判定することは、前記シグナリング・メッセージに含まれている制御持続期間が終了しているかを判定することを更に含む請求項１６に記載のユーザ機器。
【請求項２２】
前記制御持続期間が終了しておらず、前記プロセッサに結合された回路が、前記制御持続期間が終了しているかのように振る舞い、前記送信レート制限を解除するように更に構成されている請求項２１に記載のユーザ機器。
【請求項２３】
前記プロセッサに結合された回路が、前記ユーザ機器が前記シグナリング・メッセージを受信するより前に有していた送信レートに戻るように更に構成されている請求項２２に記載のユーザ機器。
【請求項２４】
前記制御持続期間が終了しており、前記プロセッサに結合された回路が、前記ユーザ機器が前記シグナリング・メッセージを受信するより前に有していた送信レートに戻るように更に構成されている請求項２１に記載のユーザ機器。
【請求項２５】
前記第１の状態が、ＣＥＬＬ＿ＤＣＨ状態である請求項１４に記載のユーザ機器。
【請求項２６】
前記送信レート制限が、アップリンク・データ・レートに適用される請求項１４に記載のユーザ機器。
【請求項２７】
送信レート制限に関するシグナリング・メッセージを取り扱うように構成されたユーザ機器であって、前記ユーザ機器は、
第１の状態で動作する手段と、
アクティベーション時間及び前記送信レート制限を含む前記シグナリング・メッセージをネットワークから受信する手段と、
第２の状態で動作するために、状態遷移トリガを受信する手段と、
前記状態遷移トリガを受信すると、前記送信レート制限に関する前記ユーザ機器の挙動を判定する手段と
を備えるユーザ機器。
【請求項２８】
前記シグナリング・メッセージが、伝送フォーマット組合せ制御（ＴＦＣＣ）メッセージである請求項２７に記載のユーザ機器。
【請求項２９】
前記第１の状態が、ＣＥＬＬ＿ＤＣＨ状態である請求項２７に記載のユーザ機器。
【請求項３０】
前記送信レート制限が、アップリンク・データ・レートに適用される請求項２７に記載のユーザ機器。
【請求項３１】
送信レート制限に関するシグナリング・メッセージを取り扱うためのコンピュータ・プログラム製品であって、前記コンピュータ・プログラム製品は、命令群を有するコンピュータ読取可能媒体を備え、前記命令群は、
第１の状態で動作するためのコードと、
アクティベーション時間及び前記送信レート制限を含む前記シグナリング・メッセージをネットワークから受信するためのコードと、
第２の状態で動作するために、状態遷移トリガを受信するためのコードと、
前記状態遷移トリガを受信すると、前記送信レート制限に関する前記ユーザ機器の挙動を判定するためのコードと
を備えるコンピュータ・プログラム製品。
【請求項３２】
前記シグナリング・メッセージが、伝送フォーマット組合せ制御（ＴＦＣＣ）メッセージである請求項３１に記載のコンピュータ・プログラム製品。
【請求項３３】
前記第１の状態が、ＣＥＬＬ＿ＤＣＨ状態である請求項３１に記載のコンピュータ・プログラム製品。
【請求項３４】
前記送信レート制限が、アップリンク・データ・レートに適用される請求項３１に記載のコンピュータ・プログラム製品。
【発明の詳細な説明】
【関連出願】
【０００１】
本願は、発明者、Sanjay Kenchareddy、Daniel Amerga、Masato Kitazroe、Preeti Rao、Srividya Krishnamoorthy、Suresh Sankaによって２００８年２月２８日に出願され、参照により本明細書に組み込まれている米国特許出願No. ６１／０３２３０５号“Handling of Transport Format Combination Control (TFCC) Message Specifying Activation Time and/or Control Duration across State Transitions and Radio Access Technology (RAT) Change,”に対する優先権を主張する。
【技術分野】
【０００２】
本開示は、一般に、通信システムに関する。本開示は、特に、送信レート制限に関するシグナリング・メッセージを取り扱うための方法及び装置に関する。
【背景技術】
【０００３】
本明細書で使用されるように、用語「ユーザ機器」は、無線通信ネットワークを介した音声及び／あるいはデータ通信のために使用されうる電子デバイスを称する。ユーザ機器の実例は、例えば、セルラ電話、携帯情報端末（ＰＤＡ）、ハンドヘルド・デバイス、無線モデム、ラップトップ・コンピュータ、パーソナル・コンピュータ等を含む。ユーザ機器（ＵＥ）は、代替的に、移動局、移動端末、加入者局、遠隔局、ユーザ端末、端末、加入者ユニット、アクセス端末等とも称されうる。
【０００４】
無線通信ネットワークは、複数のＵＥに対して通信を提供しうる。これらＵＥの各々が、基地局によってサービスを提供されうる。基地局は、代替的に、アクセス・ポイント、ノードＢ、あるいはその他の専門用語によって称されうる。
【０００５】
ＵＥは、アップリンク及びダウンリンクでの送信によって、１あるいは複数の基地局と通信しうる。アップリンク（すなわちリバース・リンク）は、ＵＥから基地局への通信リンクを称する。又、ダウンリンク（すなわちフォワード・リンク）は、基地局からＵＥへの通信リンクを称する。
【０００６】
（例えば帯域幅及び送信電力のような）無線通信ネットワークのリソースは、複数のＵＥの間で共有されうる。符号分割多元接続（ＣＤＭＡ）、時分割多元接続（ＴＤＭＡ）、周波数分割多元接続（ＦＤＭＡ）、及び直交周波数分割多元接続（ＯＦＤＭＡ）を含む、様々な多元接続技術が周知である。
【０００７】
ＵＥ動作に関する向上したシステム及び方法によって、利益が得られる。
【図面の簡単な説明】
【０００８】
【図１】図１は、ユニバーサル・モバイル・テレコミュニケーション・システム（ＵＭＴＡ）のネットワーク技術に従う通信システムのブロック図である。
【図２】図２は、伝送フォーマット組合せ制御（ＴＦＣＣ）メッセージを取り扱うためのユーザ機器（ＵＥ）を例示するブロック図である。
【図３】図３は、システムの実例を例示している。このシステムにおいて、ネットワークは、ＵＥが特定のレートで送信することを制限するＴＦＣＣメッセージをＵＥへ送る。
【図４】図４は、ＵＥによるＴＦＣＣメッセージの取り扱いを示す実例を例示している。
【図５】図５は、伝送フォーマット組合せ制御メッセージを取り扱うための方法のフロー図である。
【図６】図６は、伝送フォーマット組合せ制御メッセージを取り扱うための別の方法のフロー図である。
【図７】図７は、ＵＭＴＳ及びグローバル・システム・フォー・モバイル・コミュニケーション（ＧＳＭ（登録商標））における様々な状態及びモードの状態図を示している。
【図８】図８は、ＵＥの１つの構成において利用されうる様々な構成要素を例示している。
【発明を実施するための形態】
【０００９】
送信レート制限に関するシグナリング・メッセージを取り扱うための方法が開示される。この方法は、第１の状態で動作する。シグナリング・メッセージは、ネットワークから受信される。シグナリング・メッセージは、アクティベーション時間及び送信レート制限を含む。第２の状態で動作するために、状態遷移トリガが受信される。状態遷移トリガを受信すると、送信レート制限に関するユーザ機器の挙動が判定される。シグナリング・メッセージは、伝送フォーマット組合せ制御（ＴＦＣＣ）メッセージでありうる。
【００１０】
状態遷移トリガを受信すると、送信レート制限に関するユーザ機器の挙動を判定することは、アクティベーション時間に達しているかを判定することを含みうる。アクティベーション時間に達していない場合、状態遷移トリガを受信すると、送信レート制限に関するユーザ機器の挙動を判定することは、シグナリング・メッセージが制御持続期間を含んでいるかを判定することも含みうる。
【００１１】
シグナリング・メッセージは、制御持続期間を含みうる。送信レート制限が、直ちに適用されうる。
【００１２】
シグナリング・メッセージは、制御持続期間を含まないこともありうる。この方法は、制御持続期間が終了しているかのように振る舞い、送信レート制限を解除しうる。更に、方法は、ユーザ機器が、シグナリング・メッセージを受信するより前に有していた送信レートに戻りうる。
【００１３】
アクティベーション時間に達しうる。状態遷移トリガを受信すると、送信レート制限に関するユーザ機器の挙動を判定することは、シグナリング・メッセージに含まれる制御持続期間が終了しているかを判定することも更に含む。制御持続期間が終了していないと、この方法は制御持続時間が終了しているかのように振る舞い、送信レート制限を解除しうる。更に、方法は、ユーザ機器が、シグナリング・メッセージを受信するより前に有していた送信レートに戻りうる。制御持続期間が終了すると、方法は、ユーザ機器が、シグナリング・メッセージを受信するより前に有していた送信レートに戻りうる。
【００１４】
第１の状態は、ＣＥＬＬ＿ＤＣＨ状態でありうる。送信レート制限は、アップリンク・データ・レートに適用されうる。
【００１５】
送信レート制限に関するシグナリング・メッセージを取り扱うように構成されたユーザ機器が開示される。ユーザ機器は、プロセッサと、そのプロセッサに結合された回路を含む。ユーザ機器は、第１の状態で動作する。シグナリング・メッセージは、ネットワークから受信される。シグナリング・メッセージは、アクティベーション時間と送信レート制限を含む。第２の状態で動作するために、状態遷移トリガが受信される。状態遷移トリガを受信すると、送信レート制限に関するユーザ機器の挙動が判定される。
【００１６】
送信レート制限に関するシグナリング・メッセージを取り扱うように構成されたユーザ機器も開示される。このユーザ機器は、第１の状態で動作する手段と、ネットワークからシグナリング・メッセージを受信する手段とを含む。シグナリング・メッセージは、アクティベーション時間と送信レート制限とを含む。ユーザ機器は、第２の状態で動作するために、状態遷移トリガを受信する手段を含む。ユーザ機器は、状態遷移トリガを受信すると、送信レート制限に関するユーザ機器の挙動を判定する手段も含む。
【００１７】
送信レート制限に関するシグナリング・メッセージを取り扱うためのコンピュータ・プログラム製品が開示される。コンピュータ・プログラム製品は、命令群を有するコンピュータ読取可能媒体を備える。この命令群は、第１の状態で動作するためのコードと、ネットワークからシグナリング・メッセージを受信するためのコードとを含む。シグナリング・メッセージは、アクティベーション時間と送信レート制限とを含む。コンピュータ・プログラム製品は、第２の状態で動作するために、状態遷移トリガを受信するためのコードを含む。コンピュータ・プログラム製品は、状態遷移トリガを受信すると、送信レート制限に関するユーザ機器の挙動を判定する手段も含む。
【００１８】
様々な実例が、ここで図面を参照して記述される。以下の記述において、説明を目的として、１あるいは複数の態様についての完全な理解を提供するために、数々の具体的な詳細が説明される。しかし、このような態様が、これら具体的な詳細なしに実施されうるということが明白である。その他の例において、１あるいは複数の実例を記述することを容易にするために、周知の構造及びデバイスがブロック図において示される。
【００１９】
図１は、ユニバーサル・モバイル・テレコミュニケーション・システム（ＵＭＴＳ）のネットワーク・トポロジに従う通信システム１００のブロック図である。ＵＭＴＳシステムは、ユーザ機器（ＵＥ）１０２、アクセス・ネットワーク、及びコア・ネットワーク１０６を含みうる。ＵＥ１０２は、アクセス・ネットワークに結合されうる。このアクセス・ネットワークは、外部ネットワーク（図示せず）に結合されうるコア・ネットワーク１０６に結合される。
【００２０】
ＵＥ１０２は、一般に、ユーザがＵＭＴＳネットワーク・サービスにアクセスすることを可能にするデバイスである。ＵＥ１０２は、例えばセルラ電話、固定局、あるいはその他のデータ端末のようなモバイル・デバイスでありうる。例えば、ＵＥ１０２は、エア（Ｕｕ）・インタフェース１４０を介した無線通信のために使用される無線端末でありうる。Ｕｕインタフェース１４０は、ＵＥ１０２がシステムの固定部分にアクセスするインタフェースである。
【００２１】
アクセス・ネットワークは、ネットワークにアクセスするための無線機器を含みうる。ＷＣＤＭＡ（登録商標）システムにおいて、アクセス・ネットワークは、全地球地上無線アクセス・ネットワーク（ＵＴＲＡＮ）１３０のエア・インタフェースである。ＵＴＲＡＮ１３０は、１あるいは複数の無線ネットワーク・サブシステム（ＲＮＳ）１３４を含みうる。このサブシステムは、少なくとも１つの無線ネットワーク・コントローラ（ＲＮＣ）１３４に結合された少なくとも１つの基地局あるいは「ノードＢ」１３６を含む。
【００２２】
ＲＮＣ１３４は、ＵＴＲＡＮ１３０の無線リソースを制御しうる。アクセス・ネットワークのＲＮＣ１３４ａ、１３４ｂは、ｌｕインタフェース１４４とも称されうるインタフェース１４４によって、コア・ネットワーク１０６と通信しうる。アクセス・ネットワークのＲＮＣ１３４は、ｌｕｂインタフェース１４２とも称されうるインタフェース１４２によって、ノードＢ１３６と通信しうる。Ｕｕインタフェース１４０、ｌｕインタフェース１４４、及びｌｕｂインタフェース１４２は、異なるベンダー間からの機器の間での相互ネットワーキングを可能にし、又、３ＧＰＰ規格に定めされている。ＲＮＣ１３４の実施は、ベンダーによって様々であり、従って、総括的な言葉で以下に記述されるだろう。
【００２３】
ＲＮＣ１３４は、ＵＴＲＡＮ１３０の切換要素あるいは制御要素としての役目を果たしうる。ＲＮＣ１３４は、ｌｕｂインタフェース１４２とｌｕインタフェース１４４との間に位置しうる。ＲＮＣ１３４は、ＵＴＲＡＮ１３０がコア・ネットワーク１０６に提供する全てのサービスのためのサービス・アクセス・ポイントとして動作しうる。例えば、ＵＴＲＡＮ１３０は、コア・ネットワーク１０６とＵＥ１０２との間の接続を管理しうる。
【００２４】
ＲＮＣ１３４ａ、１３４ｂは、lｕｒインタフェース１４６とも称されうるインタフェース１４６を介して、互いに通信しうる。ｌｕｒインタフェース１４６は、異なるノードに接続されたセルの間でソフト・ハンドオーバを可能にする。ＲＮＣ１３４及びノードＢ１３６は、ｌｕｂインタフェース１４２を介して通信しうる、又、ｌｕｂインタフェース１４２によって接続されうる。ＲＮＣ１３４は、特定のＲＮＣ１３４に結合された各ノードＢ１３６によって、無線リソースの使用を制御しうる。各ノードＢ１３６は、１あるいは複数のセルを制御し、無線リンクをＵＥ１０２に提供しうる。ノードＢ１３６は、例えば、チャネルの符号化及びインターリーブ、レートの適応及び拡散のようなインタフェース処理を実行しうる。
【００２５】
コア・ネットワーク１０６は、公衆交換電話網（ＰＳＴＮ）（図示せず）あるいはパケット・データ・ネットワーク（ＰＤＮ）（図示せず）のどちらかに接続するための切換機能と経路指定機能との全てを含みうる。コア・ネットワーク１０６は、移動のため、及び加入者位置管理サービスと認証サービスのための切換機能及び経路指定機能も含みうる。
【００２６】
本開示は、一般に、伝送フォーマット組合せ制御（ＴＦＣＣ）メッセージのような、シグナリング・メッセージに関する。図２は、ＴＦＣＣメッセージを取り扱うためのユーザ機器２０２を例示するブロック図である。ＴＦＣＣメッセージは、ＵＥ２０２が特定のレートで送信することを制限するために使用される。例えば、ＴＦＣＣメッセージは、ＵＥ２０２が、完全な伝送フォーマット組合せセット（ＴＦＣＳ）から特定の伝送フォーマット組合せ識別子（ＴＦＣＩ）を使用することを制限するために、ネットワークによって使用されうる。これは、特定のレートで送信することをＵＥ２０２に対して制限しうる。ＴＦＣＣメッセージについての更なる詳細は、図３に関連付けて、下記で説明される。
【００２７】
ＵＥ２０２は、状態モジュール２１０を含みうる。状態モジュール２１０は、ＵＥ２０２がＵＭＴＳ地上無線アクセス無線リソース制御（ＵＴＲＡ  ＲＲＣ）接続モードの場合、ＵＥ２０２の状態を含みうる。
【００２８】
状態モジュール２１０は、ＣＥＬＬ＿ＤＣＨ状態２１２を含みうる。ＣＥＬＬ＿ＤＣＨ状態２１２は、専用チャネル状態とも称されうる。状態モジュール２１０は、ＣＥＬＬ＿ＦＡＳＨ状態２１４も含みうる。ＣＥＬＬ＿ＦＡＳＨ状態２１４は、フォワード・アクセス・チャネル・状態とも称されうる。状態モジュール２１０は、ＣＥＬＬ＿ＰＣＨ状態２１６も含みうる。状態モジュール２１０は、ＵＲＡ＿ＰＣＨ状態２１８も含みうる。ＣＥＬＬ＿ＰＣＨ状態２１６及びＵＲＡ＿ＰＣＨ状態２１８は、ページング・チャネル・状態あるいは共通状態とも称されうる。ＵＴＲＡ  ＲＲＣ接続モード状態についての更なる詳細は、図７に関連付けて、下記で説明される。
【００２９】
ＵＥ２０２は、挙動モジュール２２０も含みうる。挙動モジュール２２０は、ＵＥ２０２がＴＦＣＣメッセージを受信すると、どのような反応をするかに関して判定を行いうる。挙動モジュール２２０は、ＵＥ２０２のアップリンク・データ・レート２２２を制御しうる。例えば、挙動モジュール２２０は、特定のレートで送信することをＵＥ２０２に対して制限しうる。例えば、挙動モジュール２２０は、タイマ２２４をも含みうる。挙動モジュール２２０はタイマ２２４を使用し、いつＴＦＣＣメッセージ制限をアップリンク・データ・レート２２２に適用するかを判定する。例えば、挙動モジュール２２０は、アップリンク・データ・レート２２２が下げられる制御フレーム・ナンバ（ＣＦＮ）を、タイマ２２４を使用して判定しうる。挙動モジュール２２０は、更に、アップリンク・データ・レート２２２が一時的に下げられた後、アップリンク・データ・レート２２２が上げられるＣＦＮを、タイマ２２４を使用して判定しうる。挙動モジュール２２０は、タイマ２２４を使用して、ＴＦＣＣメッセージ制限をいつ適用し、いつ解除するのかを判定しうる。
【００３０】
図３は、ネットワーク３０６が、ＴＦＣＣメッセージ３５０をＵＥ３０２に送るシステム３００の実例を例示している。ＴＦＣＣメッセージ３５０は、１あるいは複数のＵＥ３０２に適用される制限３５２を含みうる。例えば、ＴＦＣＣメッセージ３５０は、ＵＥ３０２の送信レートにおける制限３５２を含みうる。１つの構成において、ＵＥ３０２の送信レートにおける制限３５２は、ＵＥ３０２におけるアップリンク・データ制限を含みうる。ＴＦＣＣメッセージ３５０は、アクティベーション時間３５４も含みうる。アクティベーション時間３５４は、ＵＥ３０２がＴＦＣＣメッセージ３５０における制限３５２を適用する制御フレーム・ナンバ（ＣＦＮ）を示しうる。アクティベーション時間３５４は、ＴＦＣサブセットのためのアクティベーション時間とも称されうる。ＴＦＣＣメッセージ３５０がアクティベーション時間３５４を定義しない場合、ＵＥ３０２がＴＦＣＣメッセージ３５０を受信して処理するとすぐに、ＴＦＣＣメッセージ３５０における制限３５２が適用されうる。
【００３１】
ＴＦＣＣメッセージ３５０は、制御持続期間３５６も含みうる。制御持続期間３５６は、ＴＦＣＣメッセージ３５０における制限３５２が有効である時間の持続期間を示しうる。代替的に、制御持続期間３５６は、ＴＦＣＣメッセージ３５０における制限３５２が有効でなくなるＣＦＮを示しうる。制御持続期間３５６は、ＴＦＣ制御持続期間とも称されうる。ＴＦＣＣメッセージ３５０が制御持続期間３５６を定義しない場合、あるいはＴＦＣＣメッセージ３５０が制御持続期間３５６を含まない場合、ネットワーク３０６が異なるＴＦＣＳを使用するためにＵＥにシグナルするまで、あるいはＵＥ３０２がＩＤＬＥ状態へ遷移するまで、ＴＦＣＣメッセージ３５０における制限３５２が、ＵＥ３０２に適用されうる。ネットワーク３０６は、同じＴＦＣＣメッセージ３５０を複数のＵＥ３０２に送信しうる。ＵＥ３０２がＴＦＣＣメッセージ３５０を受信した後に、ＵＥ３０２の挙動が定義されていない場合、ＵＥ３０２とネットワーク３０６は、ＴＦＣＩ制限の点で非同期状態になる。これは、ＲＬＣの回復不能な誤り及びコール・ドロップを引き起こす可能性がある。
【００３２】
図４は、ＵＥ３０２によるＴＦＣＣメッセージ３５０の取り扱いを示す実例を例示している。グラフ６００は、時間６０６にわたるＵＥのデータ・レート６０４を例示している。時間Ｔ１  ６１０において、ＵＥ３０２は、データ・レート６０４を制限するシグナリング・メッセージ３５０を受信しうる（６０８）。シグナリング・メッセージ３５０は、アクティベーション時間３５４及び制御持続期間６２０を含みうる。この実例において、アクティベーション時間３５４は、時間Ｔ２  ６１４であり、又、制御持続期間６２０は、時間Ｔ３  ６１８マイナス時間Ｔ２  ６１４である。アクティベーション時間３５４である時間Ｔ２  ６１４において、ＵＥ３０２は、シグナリング・メッセージ３５０の制限３５２を適用し（６１２）、そして、データ・レート６０４が低下する。時間Ｔ３  ６１８において、制御持続期間６２０が終了し、ＵＥ３０２はシグナリング・メッセージ３５０の制限３５２を解除し（６１６）、シグナリング・メッセージ制限３５２を受信するより前のレベルまで、データ・レート６０４を増加させる。
【００３３】
図５は、伝送フォーマット組合せ制御メッセージ３５０を取り扱うための方法４００のフロー図である。ＵＥ３０２は、ＣＥＬＬ＿ＤＣＨ状態２１２において動作しうる（４０２）。ＵＥ３０２は、ネットワーク３０６からシグナリング・メッセージ３５０を受信しうる（４０４）。シグナリング・メッセージ３５０は、ＵＥ３０２に対して制限を示しうる。例えば、シグナリング・メッセージ３５０は、ＵＥ３０２のアップリンク・データ・レートにおける制限を示しうる。１つの構成において、シグナリング・メッセージ３５０は、ＴＦＣＣメッセージ３５０でありうる。シグナリング・メッセージ３５０は、アクティベート時間３５４を含みうる。シグナリング・メッセージ３５０は、制御持続期間３５６も含みうる。シグナリング・メッセージ３５０を受信した後、ＵＥ３０２は、異なる状態に移動するための状態遷移トリガを受信しうる（４０６）。１つの構成において、状態遷移トリガが、ＵＥ３０２を、異なるＲＲＣ状態に移動させる。ＲＲＣ状態についての更なる詳細は、図７に関連に関連付けて、下記で説明される。状態遷移トリガを受信すると、ＵＥ３０２は状態遷移を準備しうる（４０８）。１つの構成において、ＵＥ３０２は状態遷移トリガの代わりに、無線アクセス技術（ＲＡＴ）の変化を支持しうる。
【００３４】
ＵＥ３０２が状態遷移の準備をしている間に（４０８）、ＵＥ３０２はアクティベーション時間３５４に達しているかを判定しうる（４１０）。アクティベーション時間３５４は、図３に関連付けて、上記で説明されている。アクティベーション時間３５４に達していない場合、シグナリング・メッセージ制限３５２は、ＵＥ３０２に適用されていない。ＵＥ３０２は、その後、シグナリング・メッセージ３５０が制御持続期間３５６を含んでいるかを判定しうる（４１２）。シグナリング・メッセージ３５０が制御持続期間３５６を含んでいる場合、ＵＥ３０２は、制御持続期間３５６が終了したかのように動作し（４１６）、制限３５２を解除しうる。ＵＥ３０２は、その後、シグナリング・メッセージ３５０を受信するより前のＵＥ３０２伝送フォーマット組合せセット（ＴＦＣＳ）に戻りうる（４２０）。シグナリング・メッセージ３５０が制御持続期間３５６を含まない場合、ＵＥ３０２は、シグナリング・メッセージ３５０に含まれている制限３５２を直ちに適用する（４１４）。ＵＥ３０２は、ネットワークがＴＦＣＳセットを明確に再構成するまで、あるいはＵＥ３０２がＩＤＬＥ状態へ遷移するまで、ＴＦＣＣメッセージ３５０によって許可されているＴＦＣＩを使用し続けうる。
【００３５】
アクティベーション時間３５４に達している場合、シグナリング・メッセージ制限３５２はＵＥ３０２に適用されている。ＵＥ３０２は、その後、シグナリング・メッセージ３５０に含まれている制御持続期間３５６が終了したかを判定しうる（４１８）。制御持続期間３５６が終了している場合、シグナリング・メッセージ制限３５２は既に解除されている。ＵＥ３０２は、その後、シグナリング・メッセージ３５０を受信する（４０４）より前のＴＦＣＳに戻りうる（４２０）。制御持続期間３５６が終了していない場合、ＵＥ３０２は、制御持続期間３５６が終了しているかのように動作し（４１６）、制限３５２を解除しうる。ＵＥ３０２は、その後、シグナリング・メッセージ３５０を受信する（４０４）より前のＴＦＣＳに戻りうる（４２０）。
【００３６】
図６は、伝送フォーマット組合せ制御メッセージを取り扱うための別の方法５００のフロー図である。ＵＥ３０２は、ＣＥＬＬ＿ＤＣＨ状態２１２以外の状態で動作しうる（５０２）。例えば、ＵＥ３０２は、ＣＥＬＬ＿ＦＡＣＨ状態２１４で動作しうる。ＵＥ３０２は、ネットワーク３０６からシグナリング・メッセージ３５０を受信しうる（５０４）。シグナリング・メッセージ３５０は、ＵＥ３０２に対する制限３５２を示しうる。例えば、シグナリング・メッセージ３５０は、ＵＥ３０２のアップリンク・データ・レートにおける制限３５２を示しうる。１つの構成において、シグナリング・メッセージ３５０は、ＴＦＣＣメッセージ３５０でありうる。シグナリング・メッセージ３５０は、アクティベーション時間３５４を含みうる。シグナリング・メッセージ３５０は、制御持続期間３５６も含みうる。ＣＥＬＬ＿ＤＣＨ状態２１２以外の状態でシグナリング・メッセージ３５０を受信すると（５０４）、ＵＥ３０２はシグナリング・メッセージ３５０を拒否しうる（５０６）。ＵＥ３０２は、その後、ネットワーク３０６に対して、この不具合を示しうる（５０８）。
【００３７】
図７は、ＵＭＴＳ及びグローバル・システム・フォー・モバイル・コミュニケーション（ＧＳＭ）における様々な状態及びモードの状態図を示す。図７において示される状態及びモードは、ＵＥ３０２が動作しうる状態及びモードのうちのいくつかの例にすぎない。
【００３８】
電源がオンにされると、ＵＥ３０２は、セル選択を実行し、ＵＥ３０２がサービスを受信するのに適切なセルを見つけうる。このセルは、サービス提供セルとも称される。ＵＥ３０２は、その後、ＵＭＴＳ地上無線アクセス（ＵＴＲＡ）無線リソース制御（ＲＲＣ）接続モード７０２へ遷移しうる。ＵＥ３０２は、ＵＴＲＡ  ＲＲＣ接続モード７０２である間、ＲＲＣ状態及び構成に依存して、ＵＭＴＳネットワークでデータを受信及び／あるいは送信しうる。
【００３９】
ＵＴＲＡ  ＲＲＣ接続モード７０２である間、ＵＥ３０２は可能性のある４つのＲＲＣ状態のうちの１つでありうる。それは、ＣＥＬＬ＿ＤＣＨ状態７０８、ＣＥＬＬ＿ＦＡＣＨ状態７１０、ＣＥＬＬ＿ＰＣＨ状態７０６、あるいはＵＲＡ＿ＰＣＨ状態７０４である。このコンテキストにおいて、ＤＣＨは専用伝送チャネルを意味し、ＦＡＣＨはフォワード・アクセス・チャネルを意味し、ＰＣＨはページング・チャネルを意味し、ＵＲＡはＵＴＲＡＮ登録エリアを意味する。
【００４０】
ＣＥＬＬ＿ＤＣＨ状態７０８において、ＵＥ３０２は、ＵＥ３０２に割り当てられた専用物理チャネルによって、音声あるいはデータ呼出しのためにＵＭＴＳネットワークを用いて通信しうる。ＣＥＬＬ＿ＦＡＣＨ状態７１０において、ＵＥ３０２はその他のＵＥ３０２と共有される共通チャネルによって、ＵＭＴＳネットワークと、シグナリングを交換し、又、低いレートのデータを交換しうる。
【００４１】
ＣＥＬＬ＿ＰＣＨ状態７０６及びＵＲＡ＿ＰＣＨ状態７０４において、ＵＥ３０２はページング・メッセージのためにＰＣＨを定期的にモニタしうる、又、ＵＥ３０２は、アップリンクで送信することを許可されていない。
【００４２】
ＣＥＬＬ＿ＰＣＨ状態７０６において、ＵＭＴＳネットワークは、セル・レベルでＵＥ３０２の位置を知っている。ＵＥ３０２は、ＵＥ３０２が新規のセルに移動した場合は必ず、ＵＭＴＳネットワークを用いてセル更新を実行する。ＵＲＡ＿ＰＣＨ状態７０４において、ＵＭＴＳネットワークは、ＵＲＡレベルでＵＥ３０２の位置を知っている。ここで、ＵＲＡはセルの集合である。ＵＥ３０２は、ＵＥ３０２が新規のＵＲＡに移動した場合は必ず、ＵＭＴＳネットワークを用いてＵＲＡ更新を実行する。ＵＥ３０２は、ＵＲＡ＿ＰＣＨ状態７０４よりもＣＥＬＬ＿ＰＣＨ状態７０６において、より頻繁に位置を更新しうる。
【００４３】
ＵＥ３０２は、再構成の手順を実行することによって、ＣＥＬＬ＿ＤＣＨ状態７０８あるいはＣＥＬＬ＿ＦＡＣＨ状態７１０から、ＵＴＲＡ  ＲＲＣ接続モード７０２における別の状態に遷移しうる。ＵＥ３０２は、同様に再構成の手順を実行することによって、ＣＥＬＬ＿ＤＣＨ状態７０８における異なる構成の間を遷移しうる。ＵＭＴＳネットワークは、ＵＥ３０２のアクティビティに基づいて、ＵＥ３０２がＵＴＲＡ  ＲＲＣ接続モード７０２における４つのＲＲＣ状態のうちの１つであるように命令しうる。
【００４４】
図８は、ユーザ機器（ＵＥ）８００の１つの構成において活用されうる様々な構成要素を例示している。ＵＥ８００は、プロセッサ、あるい、中央処理ユニット（ＣＰＵ）／コントローラ８０４を含みうる。ＣＰＵ／コントローラ８０４は、マイクロプロセッサ、マイクロコントローラ、デジタル信号プロセッサ（ＤＳＰ）、あるいは当該技術において周知のその他のデバイスとして実現されうる。読込専用メモリ（ＲＯＭ）とランダム・アクセス・メモリ（ＲＡＭ）との両方を含みうるメモリ８１０は、命令群８３０及びデータ８２０をＣＰＵ／コントローラ８０４に提供しうる。メモリ８１０は、不揮発性ランダム・アクセス・メモリ（ＮＶＲＡＭ）の一部も含みうる。ＣＰＵ／コントローラ８０４は、一般的に、メモリ８１０内に格納されたプログラム命令群８３０に基づいて、論理動作及び算術動作を実行する。メモリ８１０内の命令群８３０は、本明細書に記述された方法を実施するように実行可能でありうる。命令群８３０ａ及びデータ８２０ａの一部が、ＣＰＵ／コントローラ８０４に現在実行されているように、あるいは読み込まれているように例示されている。
【００４５】
メモリ８１０内のデータ８２０は、１あるいは複数の伝送フォーマット組合せ（ＴＦＣ）制御メッセージ８２２を含みうる。各ＴＦＣ制御メッセージ８２２は、ネットワークを介して受信されうる。メモリ８１０内のデータ８２０は、ＴＦＣ制御メッセージ８２２の期限が切れるまで、ＴＦＣ制御メッセージ８２２を格納しうる。代替的に、メモリ８１０内のデータ８２０は、ＵＥ８００が新規のＴＦＣ制御メッセージ８２２を受信するまで、ＴＦＣ制御メッセージ８２２を格納しうる。ＴＦＣ制御メッセージ８２２は、ＵＥ８００に関連する制限８２４を含みうる。例えば、ＴＦＣ制御メッセージ８２２は、ＵＥ８００のアップリンク・データ・レートにおける制限８２４を含みうる。ＴＦＣ制御メッセージ８２２は、ＴＦＣサブセット８２６のためのアクティベーション時間も含みうる。ＴＦＣサブセット８２６のためのアクティベーション時間は、ＴＦＣ制御メッセージ８２２における制限８２４がＵＥ８００に適用される制御フレーム・ナンバ（ＣＦＮ）を示しうる。ＴＦＣ制御メッセージ８２２は、ＴＦＣ制御持続期間８２８も含みうる。ＴＦＣ制御持続期間８２８は、ＴＦＣ制御メッセージ８２２における制限８２４がＵＥ８００に適用可能である時間の持続期間を示しうる。
【００４６】
メモリ８１０内の命令群８３０は、状態遷移トリガを受信する（８３２）ための命令群８３０を含みうる。状態遷移についての更なる詳細は、図７と関連付けて、上記で説明されている。メモリ８１０内の命令群８３０は、ＴＦＣ制御メッセージを受信するための命令群８３４も含みうる。メモリ８１０内の命令群８３０は、ＴＦＣサブセットの発生のためのアクティベーション時間を判定するための命令群８３６も含みうる。メモリ８１０内の命令群８３０は、ＴＦＣサブセットのためのアクティベーション時間に、ＴＦＣ制御メッセージの制限をＵＥ８００に適用するための命令群８３８も含みうる。メモリ８１０内の命令群８３０は、ＴＦＣ制御持続期間の期限を判定するための命令群８４０を含みうる。メモリ８１０内の命令群８３０は、ＴＦＣ制御持続期間８２８の期限の後に、ＴＦＣ制御メッセージ８２２の制限８２４を解除するための命令群８４２も備えうる。メモリ８１０内の命令群８３０は、状態遷移トリガを受信した後に、ＴＦＣ制御メッセージの制限８２４を解除するための命令群８４４も含みうる。メモリ８１０における命令群８３０は、ＴＦＣサブセット８２６のためのアクティベーション時間に達する前に制限８２４を適用するための命令群８４６も含みうる。メモリ８１０内の命令群８３０は、ＴＦＣ制御メッセージ８４８を受信するより前のＴＦＣＳに戻るための命令群８４８も含みうる。
【００４７】
ＵＥ８００は、いくつかの回路を結合する中央データ・バス８０２を含みうる。これらの回路は、ＣＰＵ／コントローラ８０４、受信回路８０６、送信回路８０８、及びメモリ８１０を含みうる。
【００４８】
受信回路８０６及び送信回路８０８は、ＲＦ（無線周波数）回路（図示せず）と接続されうる。受信回路８０６は、信号をデータ・バス８０２に送出する前に、受信された信号を処理及びバッファしうる。その一方で、送信回路８０８は、データをＵＥ８００に送出する前に、データ・バス８０２からのデータを処理及びバッファしうる。ＣＰＵ／コントローラ８０４は、データ・バス８０２のデータ管理機能を実行し、更に、一般的なデータ処理機能を実行しうる。これは、メモリ８１０の命令コンテンツを実行することを含む。
【００４９】
メモリ８１０は、別のメモリ回路（図示せず）に結合されうる。この回路は、揮発性あるいは不揮発性タイプのうちの何れかでありうる。代替例として、メモリ８１０は、例えば、ＥＥＰＲＯＭ（電子的消去可能プログラマブル読取専用メモリ）、ＥＰＲＯＭ（電子的プログラマブル読取専用メモリ）、ＡＳＩＣ（アプリケーション特有集積回路）、磁気ディスク、光学ディスク、及び当該技術において周知のその他のもののような、回路のその他のタイプで作られうる。
【００５０】
記述された発明のプロセスが、当該技術において周知の任意のコンピュータ読取可能媒体上で実行されるコンピュータ読取可能命令群としてコーディングされうるということが更に留意されるべきである。本明細書及び添付された請求項において、用語「コンピュータ読取可能媒体」は、図８において示され、記述されているＣＰＵ／コントローラ８０４のような任意のプロセッサに実行のために命令群を提供することに関与する任意の媒体を称する。このような媒体は、ストレージ・タイプからなりうる。そして、例えば、図８におけるメモリ８１０の記述においても説明されたように、揮発性あるいは不揮発性の記録媒体の形態を取りうる。
【００５１】
本明細書において使用されたように、用語「判定する」は、多種多様な動作を包含しており、従って、「判定する」というのは、計算すること、コンピュータで計算すること、処理すること、導出すること、詳細に調べること、（例えば、表、データベース、あるいは別のデータ・ストラクチャを調べることのように）調べること、解明すること等を含みうる。更に、「判定する」というのは、（例えば、情報を受信することのように）受信すること、（例えば、メモリ内のデータにアクセスすることのように）アクセスすること等を含みうる。更に、「判定する」というのは、決定すること、選択すること、選定すること、確立すること等を含みうる。
【００５２】
「基づく」というフレーズは、特に明記されない限り、「〜のみに基づく」という意味ではない。言い換えれば、「基づく」というフレーズは、「〜のみに基づく」及び、「少なくとも〜に基づく」の両方を表現している。
【００５３】
本明細書で使用されたように、用語「コード」及び「命令群」は、任意のタイプのコンピュータ読取可能な状態メントを含むように、広く解釈されるべきである。例えば、用語「コード」あるいは「命令群」は、１あるいは複数のプログラム、ルーチン、サブルーチン、機能、手順等を称しうる。
【００５４】
本開示に関連付けて説明された多様な実例的な論理ブロック、モジュール、および回路は、汎用プロセッサ、デジタル信号プロセッサ（ＤＳＰ）、アプリケーション特定集積回路（ＡＳＩＣ）、フィールド・プログラマブル・ゲート・アレイ（ＦＰＧＡ）あるいは他のプログラマブル・ロジック・デバイス、離散ゲートもしくはトランジスタ・ロジック、離散ハードウェア構成要素、あるいは本明細書で説明された機能を実行するために設計されたそれらの任意の組み合わせによって実施あるいは実行されうる。汎用プロセッサはマイクロプロセッサでありうるが、別の方法としては、プロセッサは商業的に利用可能な任意のプロセッサ、コントローラ、マイクロコントローラ、あるいは順序回路でありうる。プロセッサは、例えば、ＤＳＰおよびマイクロプロセッサの組み合わせ、複数のマイクロ・プロセッサ、ＤＳＰコアと連携した１つあるいは複数のマイクロプロセッサ、あるいはその他の任意の構成のようなコンピューティング・デバイスとしても実現されうる。
【００５５】
本開示に関連付けて説明されたアルゴリズムあるいは方法のステップは、直接的にハードウェアにおいて、プロセッサによって実行されるソフトウェア・モジュールにおいて、あるいはこの２つの組み合わせにおいて実現されうる。ソフトウェア・モジュールは、当該技術分野において周知の任意の形態の記憶媒体に存在しうる。使用されうる記憶媒体のいくつかの実例は、ＲＡＭメモリ、フラッシュ・メモリ、ＲＯＭメモリ、ＥＰＲＯＭメモリ、ＥＥＰＲＯＭメモリ、レジスタ、ハード・ディスク、リムーバブル・ディスク、ＣＤ−ＲＯＭ等を含む。ソフトウェア・モジュールは、単一の命令あるいは命令群を備えうる、そして、異なるプログラムの間に、かつ複数の記憶媒体にわたって、いくつかの異なるコード・セグメントに分散されうる。記憶媒体は、記憶媒体からの情報を読み取り、記憶媒体に情報を書き込むことができるプロセッサのようなプロセッサと結合される。あるいは、記憶媒体はプロセッサに統合されうる。
【００５６】
本明細書において開示される方法は、記述される方法を達成するために１あるいは複数のステップあるいは動作を備える。この方法のステップ及び／あるいは動作は、特許請求の範囲から逸脱することなく、それぞれ置換可能でありうる。言い換えると、ステップあるいは動作の特定の順序が特に明記されない限りは、特定のステップ及び／あるいは動作の順序及び／あるいは使用法は、特許請求の範囲から逸脱することなく変更されうる。
【００５７】
前述された機能は、ハードウェア、ソフトウェア、ファームウェア、あるいはそれら任意の組合せにおいて実現されうる。ソフトウェアにおいて実現される場合、この機能は、１あるいは複数の命令群として、コンピュータ読取可能媒体に格納されうる。記憶媒体は、コンピュータによってアクセスされうる任意の利用可能な媒体でありうる。限定ではなく、例として、コンピュータ読取可能媒体は、ＲＡＭ、ＲＯＭ、ＥＥＰＲＯＭ、ＣＤ−ＲＯＭかその他の光学ディスク・ストレージ、磁気ディスク・ストレージかその他の磁気記憶デバイス、あるいは、命令群もしくはデータ構造へ望まれたプログラムを伝える、もしくは格納するために使用され、コンピュータによってアクセスされうる、その他任意のデバイスを備えうる。本明細書で使用されるようなディスク（ｄｉｓｋ）及びディスク（ｄｉｓｃ）は、コンパクト・ディスク（ＣＤ）、レーザー・ディスク、光学ディスク、デジタル・バーサタイル・ディスク（ＤＶＤ）、フロッピー（登録商標）・ディスク及びブルーレイ（登録商標）・ディスクを含む。ここで、ディスク（ｄｉｓｋ）は通常データを磁気的に再生する一方、ディスク（ｄｉｓｃ）はレーザーを用いてデータを光学的に再生する。
【００５８】
ソフトウェアあるいは命令群は、送信媒体を介しても送信されうる。例えば、同軸ケーブルや、光ファイバー・ケーブルや、ツイスト・ペアや、デジタル加入者回線（ＤＳＬ）や、あるいは、赤外線、無線、及びマイクロ波のような無線技術を使用して、ウェブサイト、サーバ、あるいはその他の遠隔ソースからソフトウェアが送信される場合、同軸ケーブルや、光ファイバー・ケーブルや、ツイスト・ペアや、ＤＳＬや、あるいは赤外線、無線、及びマイクロ波のような無線技術は、送信媒体の定義に含まれる。
【００５９】
図４及び図５によって例示されたような、本明細書で説明された方法及び技術を実行するための手段は、規定通りに、モバイル・デバイス及び／あるいは基地局によってダウンロード及び／あるいは取得されうる。例えば、このようなデバイスは、本明細書において説明される方法を実行するための手段の転送を容易にするために、サーバに結合されうる。代替的に、本明細書で説明された様々な方法は、モバイル・デバイス及び／あるいは基地局は、デバイスに記憶手段を結合させる、あるいはデバイスに記憶手段を提供する際に、様々な方法を取得しうるような、（例えば、ランダム・アクセス・メモリ（ＲＡＭ）、読取専用メモリ（ＲＯＭ）、コンパクト・ディスク（ＣＤ）もしくはフロッピー・ディスクのような物理記憶媒体のような）記憶手段によって提供されうる。更に、デバイスに対する、本明細書において説明される方法及び技術を提供するためのその他任意の適切な技術が活用されうる。
【００６０】
請求項が、上記で説明された構成及び構成要素そのものに限定される訳ではないということが認識されるべきである。本明細書で説明された構成、動作とシステムの細部、方法、及び装置において、様々な変形例、変更、バリエーションが、特許請求の範囲から逸脱することなく、なされうる。
【図１】
2015015738.tif 000003
【図２】
2015015738.tif 000004
【図３】
2015015738.tif 000005
【図４】
2015015738.tif 000006
【図５】
2015015738.tif 000007
【図６】
2015015738.tif 000008
【図７】
2015015738.tif 000009
【図８】
2015015738.tif 000010
【手続補正書】
【提出日】平成26年9月19日(2014.9.19)
【手続補正１】
【補正対象書類名】特許請求の範囲
【補正対象項目名】全文
【補正方法】変更
【補正の内容】
【特許請求の範囲】
【請求項１】
ユーザ機器によって実施される、送信レート制限に関するシグナリング・メッセージを取り扱うための方法であって、前記方法は、
第１の状態で動作することと、
アクティベーション時間及び前記送信レート制限を含む前記シグナリング・メッセージをネットワークから受信することと、
第２の状態で動作するために、状態遷移トリガを受信することと、
前記状態遷移トリガを受信すると、前記送信レート制限に関する前記ユーザ機器の挙動を判定することと
を備える方法。
【手続補正２】
【補正対象書類名】明細書
【補正対象項目名】００６０
【補正方法】変更
【補正の内容】
【００６０】
請求項が、上記で説明された構成及び構成要素そのものに限定される訳ではないということが認識されるべきである。本明細書で説明された構成、動作とシステムの細部、方法、及び装置において、様々な変形例、変更、バリエーションが、特許請求の範囲から逸脱することなく、なされうる。
以下に、出願当初の特許請求の範囲に記載された発明を付記する。
［Ｃ１］
ユーザ機器によって実施される、送信レート制限に関するシグナリング・メッセージを取り扱うための方法であって、前記方法は、
第１の状態で動作することと、
アクティベーション時間及び前記送信レート制限を含む前記シグナリング・メッセージをネットワークから受信することと、
第２の状態で動作するために、状態遷移トリガを受信することと、
前記状態遷移トリガを受信すると、前記送信レート制限に関する前記ユーザ機器の挙動を判定することと
を備える方法。
［Ｃ２］
前記シグナリング・メッセージが、伝送フォーマット組合せ制御（ＴＦＣＣ）メッセージであるＣ１に記載の方法。
［Ｃ３］
前記状態遷移トリガを受信すると、前記送信レート制限に関するユーザ機器の挙動を判定することは、前記アクティベーション時間に達しているかを判定することを備えるＣ１に記載の方法。
［Ｃ４］
前記アクティベーション時間に達しておらず、前記状態遷移トリガを受信すると、送信レート制限に関するユーザ機器の挙動を判定することは、前記シグナリング・メッセージが制御持続期間を含んでいるかを判定することを更に備えるＣ３に記載の方法。
［Ｃ５］
前記シグナリング・メッセージが、前記制御持続期間を含み、前記方法は、前記送信レート制限を直ちに適用することを更に備えるＣ４に記載の方法。
［Ｃ６］
前記シグナリング・メッセージが、前記制御持続期間を含まず、前記方法は、前記制御持続期間が終了したかのように振舞うことと、前記送信レート制限を解除することとを更に備えるＣ４に記載の方法。
［Ｃ７］
前記ユーザ機器が、前記シグナリング・メッセージを受信するより前に有していた送信レートに戻ることを更に備えるＣ６に記載の方法。
［Ｃ８］
前記アクティベーション時間に達しており、前記状態遷移トリガを受信すると、前記送信レート制限に関するユーザ機器の挙動を判定することは、前記シグナリング・メッセージに含まれている制御持続期間が終了しているかを判定することを含むＣ３に記載の方法。
［Ｃ９］
前記制御持続期間が終了しておらず、前記方法は、前記制御持続期間が終了しているかのように振る舞うことと、前記送信レート制限を解除することとを更に備えるＣ８に記載の方法。
［Ｃ１０］
前記ユーザ機器が、前記シグナリング・メッセージを受信するより前に有していた送信レートに戻ることを更に備えるＣ９に記載の方法。
［Ｃ１１］
前記制御持続期間が終了しており、前記方法は、前記ユーザ機器が、前記シグナリング・メッセージを受信するより前に有していた送信レートに戻ることを更に備えるＣ８に記載の方法。
［Ｃ１２］
前記第１の状態が、ＣＥＬＬ＿ＤＣＨ状態であるＣ１に記載の方法。
［Ｃ１３］
前記送信レート制限が、アップリンク・データ・レートに適用されるＣ１に記載の方法。
［Ｃ１４］
送信レート制限に関するシグナリング・メッセージを取り扱うように構成されたユーザ機器であって、前記ユーザ機器は、
プロセッサと、
前記プロセッサに結合された回路を備え、
前記プロセッサは、
第１の状態で動作し、
アクティベーション時間及び前記送信レート制限を含む前記シグナリング・メッセージをネットワークから受信し、
第２の状態で動作するために、状態遷移トリガを受信し、
前記状態遷移トリガを受信すると、前記送信レート制限に関する前記ユーザ機器の挙動を判定するように構成されたプロセッサであるユーザ機器。
［Ｃ１５］
前記シグナリング・メッセージが、伝送フォーマット組合せ制御（ＴＦＣＣ）メッセージであるＣ１４に記載のユーザ機器。
［Ｃ１６］
前記状態遷移トリガを受信すると、前記送信レート制限に関するユーザ機器の挙動を判定することは、前記アクティベーション時間に達しているかを判定することを備えるＣ１４に記載のユーザ機器。
［Ｃ１７］
前記アクティベーション時間に達しておらず、前記状態遷移トリガを受信すると、前記送信レート制限に関するユーザ機器の挙動を判定することは、前記シグナリング・メッセージが制御持続期間を含んでいるかを判定することを更に備えるＣ１６に記載のユーザ機器。
［Ｃ１８］
前記シグナリング・メッセージが、前記制御持続期間を含み、前記プロセッサに結合された回路は、前記送信レート制限を直ちに適用するように更に構成されているＣ１７に記載のユーザ機器。
［Ｃ１９］
前記シグナリング・メッセージが、前記制御持続期間を含まず、前記プロセッサに結合された回路は、前記制御持続期間が終了しているかのように振る舞い、前記送信レート制限を解除するように更に構成されているＣ１７に記載のユーザ機器。
［Ｃ２０］
前記プロセッサに結合された回路が、前記ユーザ機器が前記シグナリング・メッセージを受信するより前に有していた送信レートに戻るように更に構成されているＣ１９に記載のユーザ機器。
［Ｃ２１］
前記アクティベーション時間に達しており、前記状態遷移トリガを受信すると、前記送信レート制限に関するユーザ機器の挙動を判定することは、前記シグナリング・メッセージに含まれている制御持続期間が終了しているかを判定することを更に含むＣ１６に記載のユーザ機器。
［Ｃ２２］
前記制御持続期間が終了しておらず、前記プロセッサに結合された回路が、前記制御持続期間が終了しているかのように振る舞い、前記送信レート制限を解除するように更に構成されているＣ２１に記載のユーザ機器。
［Ｃ２３］
前記プロセッサに結合された回路が、前記ユーザ機器が前記シグナリング・メッセージを受信するより前に有していた送信レートに戻るように更に構成されているＣ２２に記載のユーザ機器。
［Ｃ２４］
前記制御持続期間が終了しており、前記プロセッサに結合された回路が、前記ユーザ機器が前記シグナリング・メッセージを受信するより前に有していた送信レートに戻るように更に構成されているＣ２１に記載のユーザ機器。
［Ｃ２５］
前記第１の状態が、ＣＥＬＬ＿ＤＣＨ状態であるＣ１４に記載のユーザ機器。
［Ｃ２６］
前記送信レート制限が、アップリンク・データ・レートに適用されるＣ１４に記載のユーザ機器。
［Ｃ２７］
送信レート制限に関するシグナリング・メッセージを取り扱うように構成されたユーザ機器であって、前記ユーザ機器は、
第１の状態で動作する手段と、
アクティベーション時間及び前記送信レート制限を含む前記シグナリング・メッセージをネットワークから受信する手段と、
第２の状態で動作するために、状態遷移トリガを受信する手段と、
前記状態遷移トリガを受信すると、前記送信レート制限に関する前記ユーザ機器の挙動を判定する手段と
を備えるユーザ機器。
［Ｃ２８］
前記シグナリング・メッセージが、伝送フォーマット組合せ制御（ＴＦＣＣ）メッセージであるＣ２７に記載のユーザ機器。
［Ｃ２９］
前記第１の状態が、ＣＥＬＬ＿ＤＣＨ状態であるＣ２７に記載のユーザ機器。
［Ｃ３０］
前記送信レート制限が、アップリンク・データ・レートに適用されるＣ２７に記載のユーザ機器。
［Ｃ３１］
送信レート制限に関するシグナリング・メッセージを取り扱うためのコンピュータ・プログラム製品であって、前記コンピュータ・プログラム製品は、命令群を有するコンピュータ読取可能媒体を備え、前記命令群は、
第１の状態で動作するためのコードと、
アクティベーション時間及び前記送信レート制限を含む前記シグナリング・メッセージをネットワークから受信するためのコードと、
第２の状態で動作するために、状態遷移トリガを受信するためのコードと、
前記状態遷移トリガを受信すると、前記送信レート制限に関する前記ユーザ機器の挙動を判定するためのコードと
を備えるコンピュータ・プログラム製品。
［Ｃ３２］
前記シグナリング・メッセージが、伝送フォーマット組合せ制御（ＴＦＣＣ）メッセージであるＣ３１に記載のコンピュータ・プログラム製品。
［Ｃ３３］
前記第１の状態が、ＣＥＬＬ＿ＤＣＨ状態であるＣ３１に記載のコンピュータ・プログラム製品。
［Ｃ３４］
前記送信レート制限が、アップリンク・データ・レートに適用されるＣ３１に記載のコンピュータ・プログラム製品。
【外国語明細書】
2015015738000001.pdf